【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
印刷装置であって、
印刷処理を実行する印刷手段と、
アクセスポイントを介して無線通信を行う第１の通信モードと、前記アクセスポイントを介することなく通信相手装置と直接的に無線通信する第２の通信モードとを実行可能な通信手段と、
近距離無線通信を行うＮＦＣ通信手段と、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段と、を有し、
前記印刷装置と前記通信相手装置のうち、より高い値を使用する装置が、前記第２の通信モードにおける無線通信に使用されるチャネルを割り当てる役割として動作する、
ことを特徴とする印刷装置。
【請求項２】
印刷装置であって、
印刷処理を実行する印刷手段と、
アクセスポイントを介して無線通信を行う第１の通信モードと、前記アクセスポイントを介することなく通信相手装置と直接的に無線通信する第２の通信モードとを実行可能な通信手段と、
Ｂｌｕｅｔｏｏｔｈ（登録商標）通信を行うＢｌｕｅｔｏｏｔｈ通信手段と、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段と、を有し、
前記印刷装置と前記通信相手装置のうち、より高い値を使用する装置が、前記第２の通信モードにおける無線通信に使用されるチャネルを割り当てる役割として動作する、
ことを特徴とする印刷装置。
【請求項３】
前記第１の値および前記第２の値は、Ｗｉ−Ｆｉ  ＤｉｒｅｃｔモードにおけるＩｎｔｅｎｔ値である、
ことを特徴とする請求項１または２に記載の印刷装置。
【請求項４】
複数の給紙手段をさらに有する、
ことを特徴とする請求項１から３のいずれか１項に記載の印刷装置。
【請求項５】
前記第１の通信モードと前記第２の通信モードとが並行して実行されるか否かを判定する判定手段をさらに有する、
ことを特徴とする請求項１から４のいずれか１項に記載の印刷装置。
【請求項６】
前記制御手段は、前記通信相手装置を発見した後、前記第１の値または前記第２の値を使用して前記役割決定処理を実行する、
ことを特徴とする請求項１から５のいずれか１項に記載の印刷装置。
【請求項７】
前記第２の通信モードにおける無線通信に使用されるチャネルを割り当てる役割は、Ｗｉ−Ｆｉ  Ｄｉｒｅｃｔにおけるグループオーナーである、
ことを特徴とする請求項１から６のいずれか１項に記載の印刷装置。
【請求項８】
前記役割決定処理は、Ｗｉ−Ｆｉ  ＤｉｒｅｃｔにおけるＧｒｏｕｐ  Ｏｗｎｅｒ  Ｎｅｇｏｔｉａｔｉｏｎである、
ことを特徴とする請求項１から７のいずれか１項に記載の印刷装置。
【請求項９】
前記第１の通信モードは、ＩＥＥＥ８０２．１１規格に準拠したインフラストラクチャーモードであり、
前記第２の通信モードは、Ｗｉ−Ｆｉ  Ｄｉｒｅｃｔモードである、
ことを特徴とする請求項１から８のいずれか１項に記載の印刷装置。
【請求項１０】
前記第２の通信モードは、前記印刷装置が有するアクセスポイント機能を用いて直接的に前記通信相手装置と無線通信するアクセスポイントモードと、Ｗｉ−Ｆｉ  Ｄｉｒｅｃｔモードとを含む、
ことを特徴とする請求項１から８のいずれか１項に記載の印刷装置。
【請求項１１】
前記通信手段は、前記第２の通信モードとして、Ｗｉ−Ｆｉ  Ｄｉｒｅｃｔ拡張モードを実行可能であり、
前記通信手段は、前記Ｗｉ−Ｆｉ  Ｄｉｒｅｃｔ拡張モードを実行する場合、ＩＰ接続処理を実行した後にサービス接続処理を実行し、
前記Ｗｉ−Ｆｉ  Ｄｉｒｅｃｔ拡張モードは、Ｗｉ−Ｆｉ  Ｄｉｒｅｃｔモードとは異なるモードである、
ことを特徴とする請求項１から１０のいずれか１項に記載の印刷装置。
【請求項１２】
前記第２の値は、前記役割決定処理を実行するために使用可能な値のうち、最大の値である、
ことを特徴とする請求項１から１１のいずれか１項に記載の印刷装置。
【請求項１３】
前記印刷装置が前記第２の通信モードにおける無線通信に使用されるチャネルを割り当てる役割として動作する場合、前記第１の通信モードで使用されているチャネルと同じチャネルを前記第２の通信モードのために使用するチャネル設定手段をさらに有する、
ことを特徴とする請求項１から１２のいずれか１項に記載の印刷装置。
【請求項１４】
通信装置であって、
アクセスポイントを介して無線通信を行う第１の通信モードと、前記アクセスポイントを介することなく通信相手装置と直接的に無線通信を行う第２の通信モードとを実行可能な通信手段と、
近距離無線通信を行うＮＦＣ通信手段と、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段と、を有し、
前記通信装置と前記通信相手装置のうち、より高い値を使用する装置が、前記第２の通信モードにおける無線通信に使用されるチャネルを割り当てる役割として動作する、
ことを特徴とする通信装置。
【請求項１５】
通信装置であって、
アクセスポイントを介して無線通信を行う第１の通信モードと、前記アクセスポイントを介することなく通信相手装置と直接的に無線通信する第２の通信モードとを実行可能な通信手段と、
Ｂｌｕｅｔｏｏｔｈ（登録商標）通信を行うＢｌｕｅｔｏｏｔｈ通信手段と、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段と、を有し、
前記通信装置と前記通信相手装置のうち、より高い値を使用する装置が、前記第２の通信モードにおける無線通信に使用されるチャネルを割り当てる役割として動作する、
ことを特徴とする通信装置。
【請求項１６】
前記第１の値および前記第２の値は、Ｗｉ−Ｆｉ  ＤｉｒｅｃｔモードにおけるＩｎｔｅｎｔ値である、
ことを特徴とする請求項１４または１５に記載の通信装置。
【請求項１７】
前記第１の通信モードと前記第２の通信モードとが並行して実行されるか否かを判定する判定手段をさらに有する
ことを特徴とする請求項１４から１６のいずれか１項に記載の通信装置。
【請求項１８】
前記制御手段は、前記通信相手装置を発見した後、前記第１の値または前記第２の値を使用して前記役割決定処理を実行する、
ことを特徴とする請求項１４から１７のいずれか１項に記載の通信装置。
【請求項１９】
前記第２の通信モードにおける無線通信に使用されるチャネルを割り当てる役割は、Ｗｉ−Ｆｉ  Ｄｉｒｅｃｔにおけるグループオーナーである、
ことを特徴とする請求項１４から１８のいずれか１項に記載の通信装置。
【請求項２０】
前記役割決定処理は、Ｗｉ−Ｆｉ  ＤｉｒｅｃｔにおけるＧｒｏｕｐ  Ｏｗｎｅｒ  Ｎｅｇｏｔｉａｔｉｏｎである、
ことを特徴とする請求項１４から１９のいずれか１項に記載の通信装置。
【請求項２１】
前記第１の通信モードは、ＩＥＥＥ８０２．１１規格に準拠したインフラストラクチャーモードであり、前記第２の通信モードは、Ｗｉ−Ｆｉ  Ｄｉｒｅｃｔモードである、
ことを特徴とする請求項１４から２０のいずれか１項に記載の通信装置。
【請求項２２】
前記第２の通信モードは、前記通信装置が有するアクセスポイント機能を用いて直接的に前記通信相手装置と無線通信するアクセスポイントモードと、Ｗｉ−Ｆｉ  Ｄｉｒｅｃｔモードとを含む、
ことを特徴とする請求項１４から２０のいずれか１項に記載の通信装置。
【請求項２３】
前記通信手段は、前記第２の通信モードとして、Ｗｉ−Ｆｉ  Ｄｉｒｅｃｔ拡張モードを実行可能であり、
前記通信手段は、前記Ｗｉ−Ｆｉ  Ｄｉｒｅｃｔ拡張モードを実行する場合、ＩＰ接続処理を実行した後にサービス接続処理を実行し、
前記Ｗｉ−Ｆｉ  Ｄｉｒｅｃｔ拡張モードは、Ｗｉ−Ｆｉ  Ｄｉｒｅｃｔモードとは異なるモードである、
ことを特徴とする請求項１４から２２のいずれか１項に記載の通信装置。
【請求項２４】
前記第２の値は、前記役割決定処理を実行するために使用可能な値のうち、最大の値である、
ことを特徴とする請求項１４から２３のいずれか１項に記載の通信装置。
【請求項２５】
前記通信装置が前記第２の通信モードにおける無線通信に使用されるチャネルを割り当てる役割として動作する場合、前記第１の通信モードで使用されているチャネルと同じチャネルを前記第２の通信モードのために使用するチャネル設定手段をさらに有する、
ことを特徴とする請求項１４から２４のいずれか１項に記載の通信装置。
【請求項２６】
印刷処理を実行する印刷手段と、アクセスポイントを介して無線通信を行う第１の通信モードと前記アクセスポイントを介することなく通信相手装置と直接的に無線通信する第２の通信モードとを実行可能な通信手段と、近距離無線通信を行うＮＦＣ通信手段と、を有する印刷装置が備えるコンピュータを、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段として動作させるプログラムであって、
前記印刷装置と前記通信相手装置のうち、より高い値を使用する装置が、前記第２の通信モードにおける無線通信に使用されるチャネルを割り当てる役割として動作する、
ことを特徴とする、前記印刷装置が実行可能なプログラム。
【請求項２７】
印刷処理を実行する印刷手段と、アクセスポイントを介して無線通信を行う第１の通信モードと前記アクセスポイントを介することなく通信相手装置と直接的に無線通信する第２の通信モードとを実行可能な通信手段と、Ｂｌｕｅｔｏｏｔｈ（登録商標）通信を行うＢｌｕｅｔｏｏｔｈ通信手段と、を有する印刷装置に備えられたコンピュータを、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段として動作させるプログラムであって、
前記印刷装置と前記通信相手装置のうち、より高い値を使用する装置が、前記第２の通信モードにおける無線通信に使用されるチャネルを割り当てる役割として動作する、
ことを特徴とする、前記印刷装置が実行可能なプログラム。
【請求項２８】
アクセスポイントを介して無線通信を行う第１の通信モードと前記アクセスポイントを介することなく通信相手装置と直接的に無線通信を行う第２の通信モードとを実行可能な通信手段と、近距離無線通信を行うＮＦＣ通信手段と、を有する通信装置に備えられたコンピュータを、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段としてどうさせるプログラムであって、
前記通信装置と前記通信相手装置のうち、より高い値を使用する装置が、前記第２の通信モードにおける無線通信に使用されるチャネルを割り当てる役割として動作する、
ことを特徴とする、前記通信装置が実行可能なプログラム。
【請求項２９】
アクセスポイントを介して無線通信を行う第１の通信モードと前記アクセスポイントを介することなく通信相手装置と直接的に無線通信する第２の通信モードとを実行可能な通信手段と、Ｂｌｕｅｔｏｏｔｈ（登録商標）通信を行うＢｌｕｅｔｏｏｔｈ通信手段と、を有する通信装置に備えられたコンピュータを、
前記第１の通信モードと前記第２の通信モードとが並行して実行されない場合、前記第２の通信モードにおける無線通信に使用されるチャネルを割り当てる役割として動作させる装置を決定する役割決定処理を実行するために第１の値を使用し、前記第１の通信モードと前記第２の通信モードとが並行して実行される場合、前記役割決定処理を実行するために前記第１の値よりも高い第２の値を使用する制御手段として動作させるプログラムであって、
前記通信装置と前記通信相手装置のうち、より高い値を使用する装置が、前記第２の通信モードにおける無線通信に使用されるチャネルを割り当てる役割として動作する、
ことを特徴とする、前記通信装置が実行可能なプログラム。
【請求項３０】
前記第１の値および前記第２の値は、Ｗｉ−Ｆｉ  ＤｉｒｅｃｔモードにおけるＩｎｔｅｎｔ値である、
ことを特徴とする請求項２８または２９に記載のプログラム。
【請求項３１】
前記コンピュータを、さらに、前記第１の通信モードと前記第２の通信モードとが並行して実行されるか否かを判定する判定手段として動作させる、
ことを特徴とする請求項２８から３０のいずれか１項に記載のプログラム。
【請求項３２】
前記制御手段は、前記通信相手装置を発見した後、前記第１の値または前記第２の値を使用して前記役割決定処理を実行する、
ことを特徴とする請求項２８から３１のいずれか１項に記載のプログラム。
【請求項３３】
前記第２の通信モードにおける無線通信に使用されるチャネルを割り当てる役割は、Ｗｉ−Ｆｉ  Ｄｉｒｅｃｔにおけるグループオーナーである、
ことを特徴とする請求項２８から３２のいずれか１項に記載のプログラム。
【請求項３４】
前記役割決定処理は、Ｗｉ−Ｆｉ  ＤｉｒｅｃｔにおけるＧｒｏｕｐ  Ｏｗｎｅｒ  Ｎｅｇｏｔｉａｔｉｏｎである、
ことを特徴とする請求項２８から３３のいずれか１項に記載のプログラム。
【請求項３５】
前記第１の通信モードは、ＩＥＥＥ８０２．１１規格に準拠したインフラストラクチャーモードであり、前記第２の通信モードは、Ｗｉ−Ｆｉ  Ｄｉｒｅｃｔモードである、
ことを特徴とする請求項２８から３４のいずれか１項に記載のプログラム。
【請求項３６】
前記第２の通信モードは、前記通信装置が有するアクセスポイント機能を用いて直接的に前記通信相手装置と無線通信するアクセスポイントモードと、Ｗｉ−Ｆｉ  Ｄｉｒｅｃｔモードとを含む、
ことを特徴とする請求項２８から３４のいずれか１項に記載のプログラム。
【請求項３７】
前記通信手段は、前記第２の通信モードとして、Ｗｉ−Ｆｉ  Ｄｉｒｅｃｔ拡張モードを実行可能であり、
前記通信手段は、前記Ｗｉ−Ｆｉ  Ｄｉｒｅｃｔ拡張モードを実行する場合、ＩＰ接続処理を実行した後にサービス接続処理を実行し、
前記Ｗｉ−Ｆｉ  Ｄｉｒｅｃｔ拡張モードは、Ｗｉ−Ｆｉ  Ｄｉｒｅｃｔモードとは異なるモードである、
ことを特徴とする請求項２８から３６のいずれか１項に記載のプログラム。
【請求項３８】
前記第２の値は、前記役割決定処理を実行するために使用可能な値のうち、最大の値である、
ことを特徴とする請求項２８から３７のいずれか１項に記載のプログラム。
【請求項３９】
前記コンピュータを、さらに、前記通信装置が前記第２の通信モードにおける無線通信に使用されるチャネルを割り当てる役割として動作する場合、前記第１の通信モードで使用されているチャネルと同じチャネルを前記第２の通信モードのために使用するチャネル設定手段として動作させる、
ことを特徴とする請求項２８から３８のいずれか１項に記載のプログラム。
【手続補正２】
【補正対象書類名】明細書
【補正対象項目名】発明の名称
【補正方法】変更
【補正の内容】
【発明の名称】印刷装置、通信装置、及びプログラム
【手続補正３】
【補正対象書類名】明細書
【補正対象項目名】０００１
【補正方法】変更
【補正の内容】
【０００１】
本発明は、印刷装置、通信装置、及びプログラムに関するものである。
【手続補正４】
【補正対象書類名】明細書
【補正対象項目名】００１２
【補正方法】変更
【補正の内容】
【００１２】
上記の目的を達成するための本発明による印刷装置は以下の構成を備える。即ち、
印刷装置であって、
印刷処理を実行する印刷手段と、
アクセスポイントを介して無線通信を行う第１の通信モードと、前記アクセスポイントを介することなく通信相手装置と直接的に無線通信する第２の通信モードとを実行可能な通信手段と、
近距離無線通信を行うＮＦＣ通信手段と、
前記第１の通信モードと前記第２の通信モードとが並行して実行されない場合、前記第２の通信モードにおける無線通信に使用されるチャネルを割り当てる役割として前記印刷装置を動作させるか否かを決定する役割決定処理を実行するために第１の値を使用し、前記第１の通信モードと前記第２の通信モードとが並行して実行される場合、前記役割決定処理を実行するために前記第１の値よりも高い第２の値を使用する制御手段と、を有し、
前記印刷装置と前記通信相手装置のうち、より高い値を使用する装置が、前記第２の通信モードにおける無線通信に使用されるチャネルを割り当てる役割として動作する、
ことを特徴とする。